(57)【要約】【課題】一枚の段ボールから折り上げられ、その一面に家電製品等を挿嵌させるための段差状棚部を備える緩衝体に、広範囲の緩衝強度を持たせるべく複数の大小ダボ体を前後、左右、もしくは上下方向から合体した緩衝体を提供することを目的とする。【解決手段】天井部（６０）、側壁部（４０）、段差状棚部（２０）および内壁部（１０）が、折り目を介して連接した段ボール（１００）から略コの字状断面に折り上がる様にした緩衝体（２００）であって、前記コの字状断面は、天井部（６０）、前記側壁部（４０）および段差状棚部（２０）から構成され、かつ、前記側壁部（４０）は、角筒状に形成される前記段差状棚部（２０）に対して直立し、前記天井部（６０）、前記側壁部（４０）および前記内壁部（１０）から選択される少なくとも一部位に複数の嵌合孔（Ｈ）を備えるとともに、前記複数の嵌合孔（Ｈ）にダボ体（Ｐ）が嵌着されることを特徴とする緩衝体である。【選択図】図１９
2007261646.tif 000002
【特許請求の範囲】
【請求項１】
天井部（６０）、側壁部（４０）、段差状棚部（２０）および内壁部（１０）が、折り目を介して連接した段ボール（１００）から略コの字状断面に折り上がる様にした緩衝体（２００）であって、
前記コの字状断面は、天井部（６０）、前記側壁部（４０）および段差状棚部（２０）から構成され、
かつ、前記側壁部（４０）は、角筒状に形成される前記段差状棚部（２０）に対して直立し、
前記天井部（６０）、前記側壁部（４０）および前記内壁部（１０）から選択される少なくとも一部位に複数の嵌合孔（Ｈ）を備えるとともに、
前記複数の嵌合孔（Ｈ）にダボ体（Ｐ）が嵌着されることを特徴とする緩衝体。
【請求項２】
前記天井部（６０）又は前記側壁部（４０）にダボ体（Ｐ）が嵌着されることを特徴とする請求項１記載の緩衝体。
【請求項３】
前記ダボ体（Ｐ）の先端部を覆うように段ボール片が被装されることを特徴とする請求項２記載の緩衝体。
【請求項４】
前記段ボール片はフラップ（１８）又は（１９）であり、
天井（６１）に嵌着されるダボ体（Ｐ）の先端部を覆うように被装されることを特徴とする請求項３記載の緩衝体。
【請求項５】
前記段ボール片は内壁（１３）であり、
側壁（４３）に嵌着されるダボ体（Ｐ）の先端部を覆うように被装されることを特徴とする請求項３記載の緩衝体。
【請求項６】
前記段ボール片は内壁１１であり、
側壁（４２）に嵌着されるダボ体（Ｐ）の先端部を覆うように被装されることを特徴とする請求項３記載の緩衝体。
【発明の詳細な説明】
【技術分野】
【０００１】
この発明は、家電製品等を梱包する際に使用する緩衝材に関する。例えば、ＤＶＤプレイヤーやＤＶＤ−ＲＷやファクシミリやオーディオ・ビデオ等の衝撃に敏感な製品を、段ボール箱に詰め込む際に使用する緩衝体であって、段ボールを扁平に折畳み、しかも上下および前後左右の緩衝強度を調整した状態で顧客に納入し、次いで、梱包現場で速やかに立体的な緩衝体へと折り上げるようにした緩衝体に関する。
【背景技術】
【０００２】
家電製品の梱包には、優れた緩衝特性と種々の形状が自由に得られるという理由から発泡スチロール製パッキンが従来から多用されてきた。ところが、近年、塩化ビニール等の樹脂類と一緒に廃棄物として処理する際に、ダイオキシン発生等の問題が生じたため、その使用が困難になってきた。
【０００３】
一方、段ボール製の外装箱の積圧強度を向上させる手段がとられる。段ボールの材質をグレードアップし、厚さ、もしくは重ね枚数をダブルにする等の対策があるが、組立ての作業性が悪化しコストアップになる。そこで、早くからこのような動向を察知して、発泡スチロール製に劣らない段ボール製の緩衝体の開発を進めてきた。それも、製品を保護するために外装箱の中に装着する緩衝体の改善に的がしぼられてきた。
【０００４】
この様な問題に対処するために、段ボール製の緩衝体の望ましい構造について、検討を重ねた結果、必要とされる緩衝強度の範囲が広いものについては、唯一枚の段ボールから一挙に所望の形態の緩衝体を折り上げる方法にこだわるよりも、各種形状の緩衝部品を緩衝体の本体に合体させる方法を採用した方が、緩衝強度を多機能に調整できることが解った。また、運送上の理由から扁平に畳んだ状態で納入し、梱包現場で速やかに立体的な緩衝体へと折り上げることを可能にした緩衝体が好ましいことが解った。
【発明の開示】
【発明が解決しようとする課題】
【０００５】
本発明は、上記事情に鑑みて、一枚の段ボールから折り上げられ、その一面に家電製品等を挿嵌させるための段差状棚部を備える緩衝体に、広範囲の緩衝強度を持たせるべく複数の大小ダボ体を前後左右、上下方向から合体した緩衝体を提供することを目的とする。
【課題を解決するための手段】
【０００６】
上記目的を達成するために、本発明者等は、例えばパルプモールドによって製作されたダボ体が緩衝性を有することに着目し、ダボ体を断面が略コの字状に折り上げた緩衝体に嵌着することへと発展させた。試作した結果、緩衝強度を広範囲に調整できるという知見を得、このことを具現化したもので、請求項１の発明は、天井部（６０）、側壁部（４０）、段差状棚部（２０）および内壁部（１０）が、折り目を介して連接した段ボール（１００）から略コの字状断面に折り上がる様にした緩衝体（２００）であって、前記コの字状断面は、天井部（６０）、前記側壁部（４０）および段差状棚部（２０）から構成され、かつ、前記側壁部（４０）は、角筒状に形成される前記段差状棚部（２０）に対して直立し、前記天井部（６０）、前記側壁部（４０）および前記内壁部（１０）から選択される少なくとも一部位に複数の嵌合孔（Ｈ）を備えるとともに、前記複数の嵌合孔（Ｈ）にダボ体（Ｐ）が嵌着されることを特徴とする緩衝体である。
【０００７】
請求項２の発明は、請求項１の発明の上記特徴に加えて、前記天井部（６０）又は前記側壁部（４０）にダボ体（Ｐ）が嵌着されることを特徴とする緩衝体である。
【０００８】
請求項３の発明は、請求項２の発明の上記特徴に加えて、前記ダボ体（Ｐ）の先端部を覆うように段ボール片が被装されることを特徴とする緩衝体である。
【０００９】
請求項４の発明は、請求項３の発明の上記特徴に加えて、前記段ボール片はフラップ（１８）又は（１９）であり、天井（６１）に嵌着されるダボ体（Ｐ）の先端部を覆うように被装されることを特徴とする緩衝体である。
【００１０】
請求項５の発明は、請求項３の発明の上記特徴に加えて、前記段ボール片は内壁（１３）であり、側壁（４３）に嵌着されるダボ体（Ｐ）の先端部を覆うように被装されることを特徴とする緩衝体である。
【００１１】
請求項６の発明は、請求項３の発明の上記特徴に加えて、前記段ボール片は内壁１１であり、側壁（４２）に嵌着されるダボ体（Ｐ）の先端部を覆うように被装されることを特徴とする緩衝体である。
【００１２】
ここで、本明細書でいう「ダボ体」とは、例えばパルプモールドを素材として、釣鐘状に空洞に薄肉成形したもので、大きさ、数によって広範囲の緩衝強度を持たせることができる。外観形状は、釣鐘状の他に円錐、円錐台、三角、もしくは四角等の角錐台状でもよい。ダボ体は、パルプモールドに限らず、樹脂、ゴム、繊維等の素材が使用される。以上のように、ダボ体Ｐとして本発明に使用する大中小３種類の他に各種形状、大きさのものを採用できる。
【発明の効果】
【００１３】
本発明に係わる緩衝体によれば、段ボール箱に詰め込む製品を安全に保護する機能を有する。緩衝体を設計する段階でダボ体の大きさや数を決定することによって、必要な緩衝強度を有する緩衝体が容易に得られる。従って、緩衝強度に応じてその都度段ボールを複雑な形状に折り上げる必要がない。また、扁平に折畳んだ状態で輸送するので嵩張らず輸送コストを低減できるとともに、梱包現場での保管スペースの削減等に寄与し、しかも、これを速やかに立体的な緩衝体へと折り上げることが可能である等の効果を奏する。
【発明を実施するための最良の形態】
【００１４】
本発明の実施の形態を、添付図面に例示した本発明の実施例に基づいて以下に具体的に説明する。
【実施例１】
【００１５】
先ず、本発明の実施例１ついて、図１〜図９を参照しながら説明する。図１は、大中小３種類のダボ体の外観図である。図２は、左右一組の一方の緩衝体２００Ａの展開図で、段ボール１００Ａである。図３は、左右一組の他方の緩衝体２００ａの展開図で、段ボール１００ａである。図４は、パット４００の展開図で、段ボール３００ＰＡである。図５は、段ボール１００Ａを折り上げた中間折畳み体１０５Ａの斜視図である。図６は、更に折上げ途中の斜視図である。図７は、折り上げ完了した緩衝体２００Ａの斜視図である。図８は、左右一組の緩衝体２００Ａおよび緩衝体２００ａを外装箱５００に組込んだ状態の斜視図である。図９は、左右一組の緩衝体２００Ａおよび緩衝体２００ａを外装箱５００に組込み、更にパット４００ＰＡを組込んだ状態の斜視図である。図１０は、左右一組の緩衝体２００Ａおよび緩衝体２００ａを外装箱５００に組込み、更に他の態様のパット４００ＰＡ２を組込んだ状態の斜視図である。図１１は、外装箱に製品を梱包した状態の断面図を示す。
【００１６】
大中小３種類のダボ体Ｐの外観を図１に斜視図として示す。これらは釣鐘状で薄肉の形状をしている。上段の図（ａ）は大きいダボ体Ｐ１、中段の図（ｂ）は中ダボ体Ｐ２、および、三段目の図（ｃ）は小さいダボ体Ｐ３を示す。各段左の図はダボ体を外側上方から見たものであり、右の図はダボ体Ｐを底側から見たもので、夫々凹部ＰＨを備える。外装箱に梱包する製品に必要とされる緩衝力に応じて、好ましいダボ体Ｐの形状、数を選択する。
【００１７】
左右一組の一方の緩衝体２００Ａの展開図である略矩形状をした段ボール１００Ａには、所定の箇所に折り目を設けてあるので、それらについて以下に説明する。図２に示すように、段ボール１００Ａは、左右方向の折り目に沿って、上下方向に内壁部１０、段差状棚部２０、側壁部４０および天井部６０に大きく４分割される。段ボール１００Ａの上下および左右の方向については、以上の通りとし、他の実施例についても同様である。また、図の輪郭内の点線は折り目を示し、実線は切れ目を示し、他の実施例についても同様である。上下方向に４分割されるように、上方に折り目Ａを左右方向に備え、これと平行に下方に折り目Ｂ、そして、更に下方に折り目Ｃを備える。そして、段差状棚部２０は更に、上下に上棚２１、側棚２２、底棚２３に３分割されるように、折り目Ｆ、Ｇが左右方向に設けられ、更に折り目Ｆ、Ｇの間に折り目Ｊが左右方向に、この両端がＶ字状に折り目が設けられる。この折り目Ｊは緩衝体へと折り上げた時、側棚２２の座屈を促進し、側棚２２に対する衝撃を緩和するために設けられる。側棚２２の右側は、折り目Ｋを介して接続片２４、折り目Ｌを介して接続片２５が連続する。接続片２４、２５の上下には、切れ目ｒ、ｓによって囲まれた空間を有する。また、左右方向に、大きく３分割されるように、左から折り目Ｄを上下方向に備え、これに平行に左方に折り目Ｅを備える。そして、これらの折り目を介して側壁４２の左に側壁４１、右に側壁４３を備える。上方の内壁部１０における右方の折り目Ｅの下方は、切れ目ｓ、折り目Ｅ、切れ目ｓと連続し、これらを介して右側に上棚２６、側棚２７、底棚２８を備える。そして、側棚２７には、上下中央に折り目Ｊ‘を備え、この両端が開くようにＶ字状に折り目が設けられ、前記の折り目Ｊの場合と同じ理由である。また、上方の内壁部１０は内側壁１１からなり、下方の天井部６０は天井６１からなる。
【００１８】
段ボール１００Ａは以上の構成であって、各所にダボ体Ｐを嵌め込むための嵌合孔を備える。この段ボール１００Ａから折り上げられた緩衝体に、大きさ、数を使い分けてダボ体を嵌め込む。必要とされる緩衝強度に応じて、一つの緩衝体に一種類のダボ体を使用する場合もあれば、各種形状、大きさのものを組み合わせて使用することでも良い。他の実施例についても同様である。本実施例では、内壁１１に中ダボ体Ｐ２用の嵌合孔Ｈ２を４個、側壁４５に嵌合孔Ｈ２を２個備える。側壁４１には、大きいダボ体Ｐ１用の嵌合孔Ｈ１を１個、側壁４２に嵌合孔Ｈ２を４個および側壁４３に嵌合孔Ｈ２を２個備える。また、天井６１に嵌合孔Ｈ２を２個備える。
【００１９】
左右一組の他方の緩衝体２００ａの展開図である略矩形状をした段ボール１００ａは、段ボール１００Ａと左右対称である。同様に、上下方向に大きく４分割され、また、左右方向に大きく３分割される。各所に大中小のダボ体Ｐを嵌め込むための嵌合孔を備える。
【００２０】
左右一組の段ボール１００Ａ、ａおよびダボ体Ｐは、以上のような構成であり、以下に緩衝体へ折り上げる手順について説明する。
【００２１】
先ず、左右一組の一方の緩衝体２００Ａの展開図の段ボール１００Ａを、折り目Ｇとこれに連続する折り目Ｎの部位から、これらより上方の内壁部１０、段差状棚部２０の一部および側壁４５を一体として手前側へ折り曲げ、被せる。次いで、内壁１１および側壁４５を一体として、側壁４２および側壁４３の上にダボ体によって嵌着させ、もしくは糊付け、上下にロック、係止等の手段を施して重着する。この時、複数の嵌合孔Ｈ２が自動的に重なり位置合わせができる。そして、嵌合孔Ｈ１へダボ体Ｐ１および重なった複数の嵌合孔Ｈ２の夫々へダボ体Ｐ２を嵌着する。このように折り曲げて全体が扁平な中間折畳み体１０５Ａを、図５に斜視図として示す。中間折畳み体１０５Ａには緩衝体を設計段階で決められた数のダボ体が嵌着されており、この状態で製品６００を顧客へ輸送する。他の実施例についても同様である。図示したように、中間折畳み体１０５Ａは全体が略矩形状で扁平なので、嵩張らずに輸送することができる。中間折畳み体１０５Ａを上下に重ねるに際しては、例えば、ダボ体Ｐ１の表側が釣鐘状で、裏側は凹部ＰＨを有するので重ねると上下のダボ体Ｐ１同士、あるいはＰ２同士が嵌合して重なる。複数の中間折畳み体１０５Ａが段積みにされ、嵩張らない状態で輸送するので輸送コストの低減を図ることができる。また、製品を梱包する現場でも中間折畳み体１０５Ａとして一時保管するために狭いスペースで済む。他の実施例についても同様である。
【００２２】
次に、折畳んだ１０５Ａにおいて折り目Ｂ、Ｇ、Ｆ、Ａを介して手前側に折り曲げると、上棚２１、側棚２２および底棚２３が一体となって、内壁１１に対し直角になるまで角筒状に立ち上がる。同時に、右側の上棚２６、側棚２７および底棚２８が一体となって、側壁４５に対し直角になるまで角筒状に立ち上がる。次いで、右側の上棚２６、側棚２７、底棚２８および側壁４３からなる角筒体を図の左側へ折り曲げると、図６に示すように接続片２４、２５が折り目Ｋ、Ｅおよび中の折り目Ｌを介して、くの字状に内側へ折れ曲がる。更に、曲げ続けると上棚２１、側棚２２、底棚２３および側壁４２からなる角筒体に対して、右側の上棚２６、側棚２７、底棚２８および側壁４３からなる角筒体が直立する。図７に示すように、全体が略Ｌ字状でこれに天井部を加えた緩衝体２００Ａが形成される。ここで、Ｌ字状の角筒体を段差状棚部２０と称し、この段差状棚部２０の上棚２１および上棚２６に対して直立する壁を側壁部４０およびこの側壁部４０に対して直立し、上棚２１および上棚２６に平行な面を天井部６０と称する。他の実施例についても同様である。全体的に、天井部６０、前記側壁部４０および段差状棚部２０によってコの字状断面が形成される。そして、この緩衝体２００Ａの天井部６０、側壁部４０の各所に、ダボ体Ｐ１および複数のダボ体Ｐ２が嵌着される。
【００２３】
同様にして、左右一組の他方の緩衝体２００ａの展開図である段ボール１００ａを折上げることによって、他方の緩衝体２００ａが形成される。
【００２４】
以上の緩衝体２００Ａと緩衝体２００ａをセットにして、外装箱５００の中へ組込んだ状態を図８に示す。図のように、外装箱５００の中で左右に緩衝体２００Ａおよび緩衝体２００ａが組込まれる。そして、これらの緩衝体の各所にダボ体Ｐ１および複数のダボ体Ｐ２を嵌着する。外装箱中に両緩衝体が位置する方向を左右方向とし、これと直角方向を前後方向と称し、外装箱の天地を上下方向と称し、以下の実施例についても同様である。
【００２５】
外装箱５００の中に緩衝体２００Ａおよび緩衝体２００ａの他に、段ボール片の両端をコの状に折ったパット４００ＰＡを組込んだ状態を図９に示す。梱包する際、後述する製品６００の背面をパット４００ＰＡ側に向ける。
【００２６】
また、外装箱５００の中に緩衝体２００Ａおよび緩衝体２００ａの他に、異なる形状のパット４００ＰＡ２を組込んだ状態を図１０に示す。このパット４００ＰＡ２は、図４に示すパット段ボール３００ＰＡ２を略コの字状に折ったものである。梱包する際、後述する製品６００の背面をパット４００ＰＡ２側に向ける。
【００２７】
以上のように、外装箱５００の中に緩衝体を左右に組込み、これらの緩衝体の棚部へ製品を挿嵌する。これらの状態を図１０に示すＸ−Ｘ断面として、図１１に示す。次に、緩衝体およびダボ体による緩衝作用についてこの図を参照しながら説明する。
【００２８】
外装箱５００の中の左右端に緩衝体２００Ａおよび緩衝体２００ａを組込み、この間に製品６００の両端を装着する。左側の緩衝体２００Ａの下方は、上棚２１、側棚２２、底棚２３および側壁４２からなる角筒体が形成される。緩衝体２００Ａの左方は、重なり合った側壁４２と内壁１１に嵌着されたダボ体Ｐ２の先端部である凸部ＰＣが製品６００側に向き、緩衝体２００Ａの上方は、天井６１に嵌着されたダボ体Ｐ１の凸部ＰＣが製品６００側に向く。右側の緩衝体２００ａについても同様である。図１１の様に、左右の上棚２１、２１に製品６００を掛架すると、製品６００は上方からダボ体Ｐ２によって護られ、左右もダボ体Ｐ２によって護られる。直角に形成される左右の角筒体に製品６００が載置されるので、製品６００の重量を支承するに足る充分な強度を有する。また、この角筒体は空洞を有するので、外装箱５００の下方からの衝撃に対して製品６００を保護する本来の作用を有する。また、外装箱５００内の左右方向は、側壁４１に嵌着されたダボ体Ｐ２の凸部ＰＣが製品６００側を向いているので、左右方向からの衝撃に対して製品６００を保護する本来の作用を有する。前後方向は断面図に示さないが、ダボ体Ｐ１およびダボ体Ｐ２が前後方向からの衝撃に対して製品６００を保護する本来の作用を有する。このように、ダボ体の形状、数を選択することにより、多機能の緩衝体を得ることができ設計が容易になる。従って、製品６００対する広範囲の衝撃力に対応するために、予め、基本形状がことなる各種形状の緩衝体を準備しておく必要がない。
【００２９】
以上のように、外装箱５００の中には左右の緩衝体の本体に各種形状のパットを組込む使い方をする。図９に示すように、コの字状のパット４００ＰＡが、緩衝体２００Ａと緩衝体２００ａの間で外装箱５００の内側壁に凹みを向けて組込まれる。この場合、製品６００は、コの字状の４００パットＰＡ側に製品の背面を向けて左右の緩衝体に挿嵌され、他の実施例についても同様である。この４００パットＰＡの凹みと外装箱５００の内側壁との間に空間が形成されるので、この箇所に製品６００に関するＣＤ盤、取り扱い説明書、アダプター、ケーブル、接続コード等の付属品を製品６００とは区分けして詰め込むことができる。他の形状のパット４００ＰＡ２を組込んだ状態を図１０に示す。同様に、製品６００は、コの字状の４００パットＰＡ２側に製品の背面を向けて左右の緩衝体に挿嵌される。この場合、外装箱５００の内側面と４００パットＰＡ２間の凹み空間に製品６００の付属品を詰め込む。この場合、パット４００ＰＡ２の側壁８１がダボ体Ｐ１の凸部ＰＣを覆い、製品６００に対してダボ体Ｐ１が接触しないので、ダボ体Ｐ１によって製品６００の面が擦れによって傷付くことが無い。ダボ体Ｐ１が外部からの衝撃に対して製品６００を保護する本来の機能を有するのは勿論である。
【実施例２】
【００３０】
次に、本発明の実施例２ついて、図１２〜図１５を参照しながら説明する。図１２は、左右一組の一方の緩衝体２００Ｂの展開図で、段ボール１００Ｂである。図１３は、左右一組の他方の緩衝体２００ｂの展開図で、段ボール１００ｂである。図１４は、段ボール１００Ｂを折り畳んだ状態の斜視図である。図１５は、折り上げ完了した緩衝体２００Ｂの斜視図である。
【００３１】
本実施例の実施例１との主たる相違点は、緩衝体の前後両側壁にダボ体Ｐを被装するための段ボール片を設けるところにある。以下、実施例１と相違する箇所について主に説明する。
【００３２】
左右一組の一方の緩衝体２００Ｂの展開図である段ボール１００Ｂには、所定の箇所に折り目を設けてあるので、それらについて以下に説明する。図１２に示すように、段ボール１００Ｂは、左右方向の折り目に沿って、上下方向に内壁部１０、段差状棚部２０、側壁部４０および天井部６０に大きく４分割される。段差状棚部２０において、側棚２２の中央部に切れ目ｑ、ｑを備え、この両側に折り目Ｋを介して接続片２４、折り目Ｌを介して接続片２５が連続するように設けられる。ここで、切れ目ｑ、ｑは緩衝体へと折り上げた時、側棚２２の座屈を促進して、側棚２２に対する衝撃を緩和するために設けられる。左右方向には、大きく３分割され、内壁１１の左側に側壁４４を、右側に側壁４５を備える。上棚２１、側棚２２、底棚２３の左側に上棚２９、側棚３０、底棚３１を備え、右側に上棚２６、側棚２７、底棚２８を備える。また、天井６１の左側に側壁４６、４７を備え、右側に側壁４８、４９を備える。下方の側壁４７、４９の先端には、係止片５１、５２を備え、これらに対応して上棚２９に係止溝３２、上棚２６に係止溝３３を備える。
【００３３】
段ボール１００Ｂは以上の構成であって、各所にダボ体Ｐを嵌着する嵌合孔を備える。ここでは、夫々側壁４１、４４に大ダボ体Ｐ１用の嵌合孔Ｈ１を各１個備える。他に各所に中ダボ体Ｐ２用の嵌合孔Ｈ２を備える。
【００３４】
左右一組の段ボール１００Ｂ、ｂは以上のように構成され、以下に緩衝体へと折り上げる手順について説明する。
【００３５】
先ず、左右一組の一方の緩衝体２００Ｂの展開図の段ボール１００Ｂを、折り目Ｇとこれに連続する左右の折り目Ｇ、Ｎの部位から、これらより上方の内壁部１０、段差状棚部２０の一部および側壁４５を一体として手前側へ折り曲げ、被せる。次いで、内壁１１と左右の側壁４４、４５を一体として、側壁４２と左右の側壁４１、４３の上にダボ体によって嵌着させ、もしくは糊付け、上下にロック、係止等の手段を施して重着する。この時、これらに備える嵌合孔Ｈ１および複数の嵌合孔Ｈ２が自動的に重なり位置合わせできる。そして、重なった嵌合孔Ｈ１および複数の嵌合孔Ｈ２の夫々へ、ダボ体Ｐ１および複数のダボ体Ｐ２を嵌着する。このようにして折り曲げて全体が扁平に重なった中間折畳み体１０５Ｂを図１４に斜視図として示す。
【００３６】
次に、重なった状態で全体を折り目Ｂ、Ｇ、Ｆ、Ａを介して手前側に折り曲げると、上棚２１、側棚２２および底棚２３が一体となって、内壁１１と直角になるまで角筒状に立ち上がる。同時に、右側の上棚２６、側棚２７および底棚２８が一体となって、側壁４５に対し直角になるまで立ち上がり、左側の上棚２９、側棚３０および底棚３１が一体となって、側壁４４に対し直角になるまで角筒状に立ち上がる。次いで、右の上棚２６、側棚２７、底棚２８および側壁４３からなる角筒体を図の左側へ折り曲げる。同時に、左の上棚２９、側棚３０底棚３１および側壁４１からなる角筒体を右側へ折り曲げると、左右の接続片２４、２５が折り目Ｋ、Ｅおよび中の折り目Ｌを介して、くの字状に内側へ折れ曲がる。更に、曲げ続けると左右の角筒体が直立し、図１５に示すように、全体が略コの字状でこれに天井部を加えた緩衝体２００Ｂが形成され、中央の上棚２１、側棚２２、底棚２３および側壁４２からなる角筒体に対して、左右の角筒体が直立した形状になる。そして、側壁４９の先端に備える係止片５２を上棚２６に備える係止溝３３に係止することによって、３個のダボ体Ｐ２が段ボール片の側壁４９によって被装される。同様に、反対側の側壁４７の先端に備える係止片５１を上棚２９に備える係止溝３２に係止することによって、ダボ体Ｐ１が段ボール片の側壁４７によって被装される。ここで、側壁の先端を上棚に係止することの他に、当接し、もしくは上棚に非接触状態にすることでもよい。即ち、ダボ体の先端凸部ＰＣに段ボール片の側壁が被装される形態になればよい。その他に、実施例１と同様に、この緩衝体２００Ｂの各所にダボ体Ｐ１および複数のダボ体Ｐ２が嵌着される。
【００３７】
同様にして、左右一組の他方の緩衝体２００ｂの展開図の段ボール１００ｂを折上げることによって、他方の緩衝体２００ｂが形成される。
【００３８】
以上のように、外装箱５００の中に緩衝体を左右に組込み、実施例１と同様に、これらの緩衝体の棚部へ製品を挿嵌する。次に、緩衝体およびダボ体による緩衝作用について説明する。
【００３９】
ダボ体Ｐによる上下左右方向の緩衝作用については、実施例１と同様である。前後方向については、側壁４４のダボ体Ｐ１が段ボール片の側壁４７によって被装されているので、製品６００にダボ体Ｐ１の凸部ＰＣが接触せず、製品６００が擦れることが無い。反対側の側壁４４における複数のダボ体Ｐ２は段ボール片の側壁４９によって凸部ＰＣが被装されているので、製品６００にダボ体Ｐ１の凸部ＰＣが接触せず、製品６００が擦れることが無い。一方、側壁４７は係止片５１によって支持され、側壁４９は係止片５２によって支持されているので、これらの支持されている分、製品６００に対する前後方向の緩衝力が大きくなる。同時に、係止片５１、５２によって止められるので、側壁４７、４９が外れ難い効果を奏し、確実にダボ体Ｐ１の凸部ＰＣが接触することを防ぐ。本実施例のように、製品６００の表面が傷つき易い場合は、ダボ体Ｐの凸部ＰＣに段ボール片を被装させることによって、製品６００が擦れないようにすることができる。製品６００の表面状態によって、ダボ体Ｐに段ボール片を被装するかどうかを決めればよい。他の実施例についても同様である。
【実施例３】
【００４０】
次に、本発明の実施例３ついて、図１６〜図２２を参照しながら説明する。図１６は、左右一組の一方の緩衝体２００Ｃの展開図で、段ボール１００Ｃである。図１７は、左右一組の他方の緩衝体２００ｃの展開図で、段ボール１００ｃである。図１８は、段ボール１００Ｃを折り畳んだ状態の斜視図である。図１９は、折り上げ完了した緩衝体２００Ｃの斜視図である。図２０は、パット４００Ｃの展開図で、パットの段ボール３００Ｃである。図２１は、パット４００Ｃの斜視図である。図２２は、左右一組の緩衝体２００Ｃおよび緩衝体２００ｃを外装箱５００に組込み、更にパット４００Ｃを組込んだ状態の斜視図である。
【００４１】
本実施例の実施例１との主たる相違点は、天井部のダボ体を被装するためのフラップを設けるとともに、側壁部にダボ体を被装するための内壁を設けるところにある。以下、実施例１と相違する箇所について主に説明する。
【００４２】
左右一組の一方の緩衝体２００Ｃの展開図である段ボール１００Ｃには、所定の箇所に折り目を設けてあるので、それらについて以下に説明する。図１６に示すように、段ボール１００Ｃは、左右方向の折り目に沿って、上下方向に内壁部１０、段差状棚部２０、側壁部４０および天井部６０に大きく４分割される。内壁部１０において、左右方向の折り目Ｑ、Ｒを介して上から内壁１１、１４、１５を備え、内壁１４、１５の中央部は左右の切れ目ｖ、ｖと下の切れ目ｗを備える。内壁１１の右側は折り目Ｊ、Ｐを介して内壁１２、１２を備え、これらの左側に内壁１３を備える。内壁１２、１２の下側は切れ目ｔ、ｔ、ｕ、ｕによって囲まれた空間を有する。内壁１４、１５の右側は、切れ目ｕ、折り目Ｓを介して内壁１６、１７を備える。
【００４３】
段ボール１００Ｃは以上の構成であって、各所にダボ体Ｐを嵌め込む嵌合孔を備え、ここでは、小さいダボ体Ｐ３用の嵌合孔Ｈ３を各所に備える。
【００４４】
左右一組の段ボール１００Ｃ、ｃおよびダボ体Ｐは以上の構成であり、以下に緩衝体へと折り上げる手順について説明する。
【００４５】
左右一組の一方の緩衝体２００Ｃの展開図である略矩形状をした段ボール１００Ｃを、折り目Ｇとこれに連続する折り目Ｎの部位から、これらより上方の内壁部１０、段差状棚部２０の一部を一体として手前側に折り曲げ、被せる。次いで、内壁１５と側壁１７を一体として、側壁４２と側壁４３の上にダボ体によって嵌着させ、もしくは糊付け、上下にロック、係止等の手段を施して重着する。この時、これらに備える複数の嵌合孔Ｈ３が自動的に重なり位置合わせできる。そして、複数の嵌合孔Ｈ３の夫々へ、複数のダボ体Ｐ３を嵌着する。このようにして折り曲げて全体が扁平になった状態を中間折畳み体１０５Ｃとして図１８に示す。ここで、上から内壁１１が段ボール片のフラップ１８に重なり、更に天井６１に重なる。
【００４６】
次に、重ねた状態で全体を折り目Ｂ、Ｇ、Ｆ、Ａを介して手前に折り曲げると、上棚２１、側棚２２および底棚２３が一体となって、内壁１５に対し直角になるまで角筒状に立ち上がる。同時に、右側の上棚２６、側棚２７および底棚２８が一体となって、側壁１７に対し直角になるまで角筒状に立ち上がる。次いで、右側の上棚２６、側棚２７、底棚２８および側壁４３からなる角筒体を図の左側へ折り曲げると、接続片２４、２５が折り目Ｋ、Ｅおよび中の折り目Ｌを介して、くの字状に内側へ折れ曲がる。更に、曲げ続けると右側の上棚２６、側棚２７、底棚２８および側壁４３からなる角筒体が直立し、図１９に示すように、全体が略Ｌ字状でこれに天井部を加えた緩衝体２００Ｃが形成され、左側の上棚２１、側棚２２底棚２３および側壁４２からなる角筒体に対して、右側の上棚２６、側棚２７、底棚２８および側壁４３からなる角筒体がＬ字状に直立する。ここで、段ボール片の内壁１３の先端は、上棚２６に当接する。そして、この緩衝体２００Ｃの各所に、複数のダボ体Ｐ３が嵌着されている。
【００４７】
同様にして、左右一組の他方の緩衝体２００ｃの展開図の段ボール１００ｃを折上げることによって、他方の緩衝体２００ｃが形成される。
【００４８】
外装箱５００の中には、左右の緩衝体の他にパットを組込む。図２０に示すパット段ボール３００ＰＣを、図２１に示す略コの字状のパット４００ＰＣへと折り上げ、これは両側に空洞を有する角筒状の袖部４０１を備える。
【００４９】
左右の緩衝体２００Ｃと緩衝体２００ｃの他に、パット４００ＰＣを外装箱５００の中に組込んだ状態を図２２に示す。図のように、外装箱５００の中で左右に緩衝体２００Ｃおよび緩衝体２００ｃが位置付けられ、これらの間にパット４００ＰＣを外装箱５００の内側壁に凹みを向けて組込む。
【００５０】
以上のように、外装箱５００の中に緩衝体を左右に組込み、これらの緩衝体の棚部へ製品を挿嵌する。次に、緩衝体およびダボ体による緩衝作用について図を参照しながら説明する。
【００５１】
図１８から判るように、中間折畳み体１０５Ｃは、重なり合う内壁１７と側壁４３に嵌着されたダボ体Ｐ３が段ボール片の内壁１３によって被装される。この場合、フラップ１８は折り目Ｒを介して内壁１１の下に隠れ、フラップ１８の先端はダボ体Ｐ３に接触しない。一方、内壁１１の先端の半円弧Ｔが天井６１のダボ体Ｐ３の形状に対して逃げるので、全体として扁平となる。これらの理由で、フラップ１８の先端部および内壁１１の先端部によってダボ体Ｐ３が傷むことが無い。また、図１９から判るように、天井６１に嵌着されたダボ体Ｐ３が段ボール片のフラップ１８によって被装されるので、製品の上面がダボ体Ｐ３により擦れることが無い。側方は重なり合う内壁１７と側壁４３に嵌着されたダボ体Ｐ３が段ボール片の内壁１３によって被装されるので、製品の前後方向面がダボ体Ｐ３により擦れることが無い。これと直角方向の他の側方は側壁４２に嵌着されたダボ体Ｐ３が段ボール片の内壁１１によって被装されるので、製品の左右方向面がダボ体Ｐ３によって擦れることが無い。従って、製品６００に直接ダボ体Ｐ３の凸部ＰＣが接触せず、製品６００の上面、左右面および前後面がダボ体によって擦れず、傷が付くことが無い。もちろん、複数のダボ体は、上方、左右および前後方向からの衝撃対して製品を保護する本来の機能を有する。以上のような、ダボ体Ｐによる緩衝作用および製品表面に対する摺れ防止に関する事項については、以下の実施例４、５についても同様である。即ち、実施例４、５についても、製品６００に直接ダボ体Ｐ３の凸部ＰＣが接触せず、製品６００の上面、左右面および前後面がダボ体によって擦れず、傷が付くことが無い。もちろん、実施例４、５についても、複数のダボ体は、上方、左右および前後方向からの衝撃対して製品を保護する本来の機能を有する。
【００５２】
外装箱５００の中には、左右の緩衝体の他にパットを組込む。図２２に示すように、コの字状のパット４００ＰＣが、緩衝体Ｃと緩衝体ｃの間で外装箱５００の内側壁に向けて組込まれる。この場合、コの字状のパット４００ＰＣの凹みと外装箱５００の内側壁との間に空間が形成されるので、この箇所に付属品を製品とは区分けして詰め込むことが出来る。また、図２１に示すように、コの字状のパット４００ＰＣは、両側に空洞を有する角筒状の袖部４０１を備えているので、この左右の袖部４０１は緩衝作用を有し、図２２における前後方向、即ち製品６００の背後からの衝撃に対して製品６００を保護する本来の機能を有する。
【実施例４】
【００５３】
次に、本発明の実施例４ついて、図２３〜図２７を参照しながら説明する。図２３は、左右一組の一方の緩衝体２００Ｄの展開図で、段ボール１００Ｄである。図２４は、左右一組の他方の緩衝体２００ｄの展開図で、段ボール１００ｄである。図２５は、段ボール１００Ｄを折り畳んだ状態の斜視図である。図２６は、折り上げ完了した緩衝体２００Ｄの斜視図である。図２７は、左右一組の緩衝体２００Ｄおよび緩衝体２００ｄを外装箱５００に組込んだ状態の斜視図である。
【００５４】
本実施例の実施例１との主たる相違点は、天井部のダボ体にフラップが被装されるところにある。以下、実施例１と相違する箇所について主に説明する。
【００５５】
左右一組の一方の緩衝体２００Ｄの展開図である段ボール１００Ｄには、所定の箇所に折り目を設けてあり、図２３に示すように、段ボール１００Ｄは、左右方向の折り目に沿って、上下方向に内壁部１０、段差状棚部２０、側壁部４０および天井部６０に大きく４分割される。内壁部１０において、左右方向の折り目Ｑ、Ｒを介して上から内壁１１、１４、１５を備え、内壁１５の中央部は左右の切れ目ｘ、ｘと下の切れ目ｙを有する。内壁１１の下方に、折り目Ｑを介してフラップ１９を備える。
【００５６】
段ボール１００Ｄは以上の構成であって、各所にダボ体Ｐを嵌め込む嵌合孔を備え、ここでは、小さいダボ体Ｐ３用の嵌合孔Ｈ３を各所に備える。
【００５７】
左右一組の段ボール１００Ｄ、ｄは以上の構成であり、以下に緩衝体へと折り上げる手順について説明する。
【００５８】
左右一組の一方の緩衝体２００Ｄの展開図の段ボール１００Ｄを、折り目Ｇとこれに連続する折り目Ｎの部位から、これらより上方の内壁部１０、段差状棚部２０の一部を一体として手前側へ被せるように折り曲げ、重ねる。次いで、内壁１５と側壁１７を一体として、側壁４２と側壁４３の上にダボ体によって嵌着させ、もしくは糊付け、上下にロック、係止等の手段を施して重着する。この時、これらに備える複数の嵌合孔Ｈ３の位置が自動的に重なる。そして、複数の嵌合孔Ｈ３の夫々へ、ダボ体Ｐ３を嵌着する。段ボール１００Ｄを折り曲げて全体が扁平になった中間折畳み体１０５Ｄを図２５に斜視図として示す。ここで、上から内壁１１がフラップ１９に重なり、更に天井６１に重なり全体として３段になる。この時、フラップ１９は折り目Ｑを介して折れ、フラップ１９の先端がダボ体Ｐ３に接触しないので、ダボ体Ｐ３に傷まない。
【００５９】
次に、重ねた状態で全体を折り目Ｂ、Ｇ、Ｆ、Ａを介して手前に折り曲げると、上棚２１、側棚２２および底棚２３が一体となって、内壁１５に対し直角になるまで角筒状に立ち上がる。同時に、右側の上棚２６、側棚２７および底棚２８が一体となって、側壁１７に対し直角になるまで角筒状に立ち上がる。次いで、右側の上棚２６、側棚２７、底棚２８および側壁４３からなる角筒体を図の左側へ折り曲げると、接続片２４、２５が折り目Ｋ、Ｅおよび中の折り目Ｌを介して、くの字状に内側へ折れ曲がる。更に、曲げ続けると右側の上棚２６、側棚２７、底棚２８および側壁４３からなる角筒体が直立し、図２６に示すように、全体が略Ｌ字状でこれに天井部を加えた緩衝体２００Ｄが形成され、左側の上棚２１、側棚２２、底棚２３および側壁４２からなる角筒体に対して、右側の上棚２６、側棚２７、底棚２８および側壁４３からなる角筒体が直立する。ここで、段ボール片の内壁１３の先端は、上棚２６に当接する。そして、この緩衝体２００Ｄの各所に、複数のダボ体Ｐ３が嵌着される。
【００６０】
同様にして、左右一組の他方の緩衝体２００ｄの展開図である略矩形状をした段ボール１００ｄを折上げることによって、他方の緩衝体２００ｄが形成される。
【００６１】
左右の緩衝体２００Ｄと緩衝体２００ｄの他に、パット４００ＰＣを外装箱５００の中に組込んだ状態を図２７に示す。図のように、外装箱５００の中で左右に緩衝体２００Ｄおよび緩衝体２００ｄが位置付け、これらの間にパット４００ＰＣを外装箱５００の内側壁に向けて組込む。
【００６２】
以上のように、外装箱５００の中に緩衝体を左右に組込み、これらの緩衝体の棚部へ製品を挿嵌する。次に、緩衝体およびダボ体による緩衝作用について図を参照しながら説明する。
【００６３】
図２５、２６から判るように、重なり合う内壁１７と側壁４３に嵌着されたダボ体Ｐ３は段ボール片の内壁１３によって被装される。また、図２６から判るように、天井部のダボ体Ｐ３は段ボール片のフラップ１９によって被装され、側壁４２のダボ体Ｐ３は内壁１１によって被装される。従って、製品６００に直接ダボ体Ｐ３の先端部の凸部ＰＣが接触せず、製品６００が擦れることが無い。もちろん、複数のダボ体Ｐ３によって、上方および左右方向において外部からの衝撃対して製品６００を保護する本来の機能を有する。
【００６４】
外装箱５００の中には、左右の緩衝体の他にパット４００ＰＣを組込む。図２７に示すように、コの字状のパット４００ＰＣが、緩衝体Ｃと緩衝体ｃの間で外装箱５００の内側面に対向して組込まれる。この場合、コの字状のパット４００ＰＣの凹みと外装箱５００の内側壁との間に空間が形成されるので、この箇所に付属品を詰め込むことが出来る。また、図２１で説明したように、コの字状のパット４００ＰＣは、両側に空洞を有する角筒状の袖部４０１を備えているので、緩衝作用を有し、前後方向、即ち製品の後側からの衝撃対して製品６００を保護する本来の機能を有する。
【実施例５】
【００６５】
次に、本発明の実施例５ついて、図２８〜図３２を参照しながら説明する。図２８は、左右一組の一方の緩衝体２００Ｅの展開図で、段ボール１００Ｅである。図２９は、左右一組の他方の緩衝体２００ｅの展開図で、段ボール１００ｅである。図３０は、段ボール１００Ｅを折り畳んだ状態の斜視図である。図３１は、折り上げ完了した緩衝体２００Ｅの斜視図である。図３２は、左右一組の緩衝体２００Ｅおよび緩衝体２００ｅを外装箱５００に組込んだ状態の斜視図である。
【００６６】
本実施例は、天井部のダボ体を被装するために二段に折れるフラップを設けるところにある。以下、実施例１と相違する箇所について主に説明する。
【００６７】
左右一組の一方の緩衝体２００Ｅの展開図である略矩形状をした段ボール１００Ｅには、所定の箇所に折り目を設けてあり、図２８に示すように、段ボール１００Ｅは、左右方向の折り目に沿って、上下方向に内壁部１０、段差状棚部２０、側壁部４０および天井部６０に大きく４分割される。内壁部１０において、左右方向の折り目Ｑ、Ｒを介して上から内壁１１、１４、１５を備え、内壁１５の中央部は左右の切れ目ｖ、ｖと下の切れ目ｚを有する。内壁１１の下方に、折り目Ｑ、Ｒを介してフラップ１８’、１８を備える。
【００６８】
段ボール１００Ｅは以上の構成であって、各所にダボ体Ｐを嵌め込む嵌合孔を備える。ここでは、夫々側壁４１に大きいダボ体Ｐ１用の嵌合孔Ｈ１を個備える。他に各所に小さいダボ体Ｐ３用の嵌合孔Ｈ３を複数個備える。
【００６９】
左右一組の段ボール１００Ｅ、ｅおよびダボ体Ｐは以上の構成であり、以下に緩衝体へと折り上げる手順について説明する。
【００７０】
左右一組の一方の緩衝体２００Ｅの展開図である略矩形状をした段ボール１００Ｅを、折り目Ｇとこれに連続する折り目Ｎの部位から、これらより上方の内壁部１０、段差状棚部２０の一部を一体として手前側へ折り曲げ、被せる。次いで、内壁１５と側壁１７を一体として、側壁４２と側壁４３の上にダボ体によって嵌着させ、もしくは糊付け、上下にロック、係止等の手段を施して重ねる。この時、これらに備える複数の嵌合孔Ｈ３の位置が自動的に重なる。そして、嵌合孔Ｈ１へダボ体Ｐ１を嵌着するとともに、複数の嵌合孔Ｈ３の夫々へ、ダボ体Ｐ３を嵌着する。この全体が扁平に重なった中間折畳み体１０５Ｅを図３０に斜視図として示す。ここで、上から内壁１１がフラップ１８に重なり、更に天井６１に重なり全体として３段になる。そして、内壁１１の先端の半円弧Ｔが天井６１のダボ体Ｐ３の形状に対して逃げるので、全体として扁平となる。これらの理由で、フラップ１８の先端部および内壁１１の先端部によってダボ体Ｐ３が傷むようなことが無い。
【００７１】
次に、重ねた状態で全体を折り目Ｂ、Ｇ、Ｆ、Ａを介して手前に折り曲げると、上棚２１、側棚２２、底棚２３および側壁４２が一体となって、内壁１５に対し直角になるまで角筒状に立ち上がる。同時に、右側の上棚２６、側棚２７、底棚２８および側壁４３が一体となって、側壁１７に対し直角になるまで角筒状に立ち上がる。次いで、折り目Ｅの部位から右側の上棚２６、側棚２７、底棚２８および側壁４３からなる角筒体を図の左側へ折り曲げると、接続片２４、２５が折り目Ｋ、Ｅおよび中の折り目Ｌを介して、くの字状に内側へ折れ曲がる。更に、曲げ続けると図３１に示すように、右側の上棚２６、側棚２７、底棚２８および側壁４３からなる角筒体は、上棚２１、側棚２２、底棚２３および側壁４２からなる角筒体に対して直立する。全体が略Ｌ字状で、これに天井部を加えた緩衝体２００Ｅが形成される。ここで、内壁１３の先端は、上棚２６に当接する。そして、この緩衝体２００Ｅの各所に、複数のダボ体Ｐ３および側壁４１にダボ体Ｐ１が嵌着されている。
【００７２】
同様にして、左右一組の他方の緩衝体２００ｅの展開図である略矩形状をした段ボール１００ｅを折上げることによって、他方の緩衝体２００ｅが形成される。
【００７３】
左右の緩衝体２００Ｅと緩衝体２００ｅを外装箱５００の中に組込んだ状態を図３２に示し、これらの緩衝体の棚部へ製品を装着する。次に、緩衝体およびダボ体による緩衝作用について図を参照しながら説明する。
【００７４】
図３０、３１、３２から判るように、緩衝体２００Ｅにおける側壁４３のダボ体Ｐ３が段ボール片の内壁１３によって被装される。また、緩衝体２００Ｅの天井部のダボ体Ｐ３が段ボール片のフラップ１８によって被装される。従って、製品６００にダボ体Ｐ３の凸部ＰＣが接触せず、製品６００の表面が擦れることが無い。もちろん、複数のダボ体Ｐ３は、上方および左右方向からの衝撃に対して製品６００を保護する本来の機能を有する。
【図面の簡単な説明】
【００７５】
【図１】本発明の実施例に使用する大中小３種類のダボ体の外観図である。
【図２】本発明の実施例１における、左右一組の一方の緩衝体２００Ａの展開図で、段ボール１００Ａである。
【図３】同上、左右一組の他方の緩衝体２００ａの展開図で、段ボール１００ａである。
【図４】同上、パット４００の展開図で、段ボール３００ＰＡである。
【図５】同上、段ボール１００Ａを折り上げた中間折畳み体１０５Ａの斜視図である。
【図６】同上、更に折上げ途中の斜視図である。
【図７】同上、折り上げ完了した緩衝体２００Ａの斜視図である。
【図８】同上、左右一組の緩衝体２００Ａおよび緩衝体２００ａを外装箱５００に組込んだ状態の斜視図である。
【図９】同上、左右一組の緩衝体２００Ａおよび緩衝体２００ａを外装箱５００に組込み、更にパット４００ＰＡを組込んだ状態の斜視図である。
【図１０】同上、左右一組の緩衝体２００Ａおよび緩衝体２００ａを外装箱５００に組込み、更に他の態様のパット４００ＰＡ２を組込んだ状態の斜視図である。
【図１１】同上、外装箱に製品を梱包した状態の断面図を示す。
【図１２】本発明の実施例２における、左右一組の一方の緩衝体２００Ｂの展開図で、段ボール１００Ｂである。
【図１３】同上、左右一組の他方の緩衝体２００ｂの展開図で、段ボール１００ｂである。
【図１４】同上、段ボール１００Ｂを折り畳んだ状態の斜視図である。
【図１５】同上、折り上げ完了した緩衝体２００Ｂの斜視図である。
【図１６】本発明の実施例３における、左右一組の一方の緩衝体２００Ｃの展開図で、段ボール１００Ｃである。
【図１７】同上、左右一組の他方の緩衝体２００ｃの展開図で、段ボール１００ｃである。
【図１８】同上、段ボール１００Ｃを折り畳んだ状態の斜視図である。
【図１９】同上、折り上げ完了した緩衝体２００Ｂの斜視図である。
【図２０】同上、パット４００Ｃの展開図で、パットの段ボール３００Ｃである。
【図２１】同上、パット４００Ｃの斜視図である。
【図２２】同上、左右一組の緩衝体２００Ｃおよび緩衝体２００ｃを外装箱５００に組込み、更にパット４００Ｃを組込んだ状態の斜視図である。
【図２３】本発明の実施例４における、左右一組の一方の緩衝体２００Ｄの展開図で、段ボール１００Ｄである。
【図２４】同上、左右一組の他方の緩衝体２００ｄの展開図で、段ボール１００ｄである。
【図２５】同上、段ボール１００Ｄを折り畳んだ状態の斜視図である。
【図２６】同上、折り上げ完了した緩衝体２００Ｄの斜視図である。
【図２７】同上、左右一組の緩衝体２００Ｄおよび緩衝体２００ｄを外装箱５００に組込んだ状態の斜視図である。
【図２８】本発明の実施例５における、左右一組の一方の緩衝体２００Ｅの展開図で、段ボール１００Ｅである。
【図２９】同上、左右一組の他方の緩衝体２００ｅの展開図で、段ボール１００ｅである。
【図３０】同上、段ボール１００Ｅを折り畳んだ状態の斜視図である。
【図３１】同上、折り上げ完了した緩衝体２００Ｅの斜視図である。
【図３２】同上、左右一組の緩衝体２００Ｅおよび緩衝体２００ｅを外装箱５００に組込んだ状態の斜視図である。
【符号の説明】
【００７６】
１００Ａ、ａ、Ｂ、ｂ、Ｃ、ｃ、Ｄ、ｄ、Ｅ、ｅ（１００）  段ボール
１０５Ａ、Ｂ、Ｃ、Ｄ、Ｅ  中間折畳み体
２００Ａ、ａ、Ｂ、ｂ、Ｃ、ｃ、Ｄ、ｄ、Ｅ、ｅ（２００）  緩衝体
３００ＰＡ２、ＰＣ（３００）  パット段ボール
４００ＰＡ、ＰＡ２、ＰＣ（４００）  パット、４０１  袖部
５００  外装箱
６００  製品
Ｐ１、Ｐ２、Ｐ３（Ｐ）  ダボ体、ＰＣ  凸部、ＰＨ  凹部
Ｈ１、Ｈ２、Ｈ３（Ｈ）  嵌合孔
Ａ、Ｂ、Ｃ、Ｄ、Ｅ、Ｆ、Ｇ、Ｊ、Ｊ‘、Ｋ、Ｌ、Ｍ、Ｎ、Ｏ、Ｐ、Ｑ、Ｒ、Ｓ  折り目
Ｔ  半円弧
ｑ、ｒ、ｓ、ｔ、ｕ、ｖ、ｗ、ｘ、ｙ、ｚ  切れ目
１０  内壁部  、１１、１２、１３、１４、１５、１６、１７  内壁
１８、１８‘、１９  フラップ
２０段差状棚部、２１  上棚、２２  側棚、２３  底棚、２４、２５  接続片、２６  上棚、２７  側棚、２８  底棚、  ２９  上棚、３０  側棚、３１  底棚、３２  係止溝、３３  係止溝
４０側壁部、４１、４２、４３、４４、４５、４６、４７、４８、４９  側壁、５１  係止片、５２  係止片
６０  天井部  、６１  天井
８０  パット、側壁  ８１、８２  フラップ  
【図１】
2007261646.tif 000003
【図２】
2007261646.tif 000004
【図３】
2007261646.tif 000005
【図４】
2007261646.tif 000006
【図５】
2007261646.tif 000007
【図６】
2007261646.tif 000008
【図７】
2007261646.tif 000009
【図８】
2007261646.tif 000010
【図９】
2007261646.tif 000011
【図１０】
2007261646.tif 000012
【図１１】
2007261646.tif 000013
【図１２】
2007261646.tif 000014
【図１３】
2007261646.tif 000015
【図１４】
2007261646.tif 000016
【図１５】
2007261646.tif 000017
【図１６】
2007261646.tif 000018
【図１７】
2007261646.tif 000019
【図１８】
2007261646.tif 000020
【図１９】
2007261646.tif 000021
【図２０】
2007261646.tif 000022
【図２１】
2007261646.tif 000023
【図２２】
2007261646.tif 000024
【図２３】
2007261646.tif 000025
【図２４】
2007261646.tif 000026
【図２５】
2007261646.tif 000027
【図２６】
2007261646.tif 000028
【図２７】
2007261646.tif 000029
【図２８】
2007261646.tif 000030
【図２９】
2007261646.tif 000031
【図３０】
2007261646.tif 000032
【図３１】
2007261646.tif 000033
【図３２】
2007261646.tif 000034